(57)【要約】      （修正有）【課題】従来、頭髪の処理剤及び処理方法は、頭髪への染色剤の定着性を良くしたものや、頭髪や手へのダメージを改善するものや、不快臭の改善をするものであるが、身近に豊富にあり安全で無償に近い水と、イオン交換樹脂膜とを用いるものではなく、夫々課題を有していた。【解決手段】水を活性炭で濾過して得た浄水と、浄水とイオン交換樹脂とを用いて得たｐＨ１０の第１液と、ｐＨ４の第２液と、純水の第３液とを用いて頭髪を処理する方法で、シャンプーするステップの後の頭髪に第１液を塗布しながらロッドで巻き付けるステップと、ロッドで巻き付けるステップの後の頭髪に第１パーマ液と第１液とを１：１で混合させた溶液で第１パーマ液を塗布するステップと、または、第１液を塗布するステップの後の頭髪に第１染色剤と第２染色剤と第１液を５：４：１の比率で混合させて染色剤を塗布するステップと、を含むものである。【選択図】なし【特許請求の範囲】
【請求項１】
水を活性炭で濾過して得た浄水と、該浄水とイオン交換樹脂とを用いて得たｐＨ１０の第１液と、前記浄水とイオン交換樹脂とを用いて得たｐＨ４の第２液と、前記浄水とイオン交換樹脂とを用いてカチオンとアニオンとを除去して得た純水の第３液とを用いて頭髪を処理する方法であって、頭髪をシャンプー剤と前記第３液とを１：２〜３で混合させた溶液でシャンプーするステップと、該シャンプーするステップの後の頭髪に前記第１液を塗布しながらロッドで巻き付けるステップと、該ロッドで巻き付けるステップの後の頭髪に第１パーマ液と前記第１液とを１：１で混合させた溶液で第１パーマ液を塗布するステップと、該第１パーマ液を塗布するステップの後の頭髪に前記第２液でリンスするステップと、該リンスするステップの後の頭髪に第１回目の第２パーマ液を塗布するステップと、該第１回目の第２パーマ液を塗布するステップの後の頭髪に第２回目の第２パーマ液を塗布するステップと、該第２回目の第２パーマ液を塗布するステップの後に頭髪からロッドを外すステップと、該ロッドを外すステップの後にシャンプー剤でシャンプーするステップと、該シャンプーするステップの後の頭髪に５０〜１００ｃｃの前記第２液を塗布するステップと、該第２液を塗布するステップの後の頭髪に５０〜１００ｃｃの前記第３液を塗布するステップと、該第３液を塗布するステップの後の頭髪にトリートメント剤と前記第３液とを１：５０で混合させた溶液を塗布しながらブローするステップと、を含むことを特徴とする頭髪の処理方法。
【請求項２】
水を活性炭で濾過して得た浄水と、該浄水とイオン交換樹脂とを用いて得たｐＨ１０の第１液と、前記浄水とイオン交換樹脂とを用いて得たｐＨ４の第２液と、前記浄水とイオン交換樹脂とを用いてカチオンとアニオンとを除去して得た純水の第３液とを用いて頭髪を処理する方法であって、頭髪をシャンプー剤と前記第３液とを１：２〜３で混合させた溶液でシャンプーするステップと、該シャンプーするステップの後の頭髪に５０〜１００ｃｃの前記第１液を塗布するステップと、該第１液を塗布するステップの後の頭髪に第１染色剤と第２染色剤と前記第１液を５：４：１の比率で混合させて染色剤を塗布するステップと、該染色剤を塗布するステップの後の頭髪を加熱放置するステップと、該加熱放置するステップの後にシャンプー剤でシャンプーするステップと、該シャンプーするステップの後の頭髪に５０〜１００ｃｃの前記第２液を塗布するステップと、該第２液を塗布するステップの後の頭髪に５０〜１００ｃｃの前記第３液を塗布するステップと、該第３液を塗布するステップの後の頭髪にトリートメント剤と前記第３液とを１：５０で混合させた溶液を塗布しながらブローするステップと、を含むことを特徴とする頭髪の処理方法。
【発明の詳細な説明】
【技術分野】
【０００１】
本発明は頭髪の処理方法に関するものであり、更に詳細には、水道水を活性炭で濾過した浄水をイオン交換樹脂を用いて得たＨＰの相違するイオン水を用いて、頭髪に施すパーマネントウェーブの処理方法と、頭髪を染色するカラーの処理方法とに関するものである。
【背景技術】
【０００２】
従来、この種の頭髪に施すパーマネントウェーブやカラーの処理方法は夫々の理美容士の技術で行っており、その処理剤を提供するメーカーも競って良質のものを開発し、提供をしている。
【０００３】
例えば、先に開示された、純水に対する吸水性能が５０〜１０００ｍｌ／ｇである吸水性樹脂と純水または酸素を溶存させた水からなる毛髪用処理剤（特許文献１参照）や、（Ａ）無機酸及びその塩からなる群から選ばれる少なくとも１種を０．００５〜１．０重量％含有してなり、ｐＨが１．０〜７．０であるパーマネントウェーブ用前処理剤、（Ｂ）還元剤を含有してなり、アルカリ値が３．０以下でｐＨが８．５以下であるパーマネントウェーブ用第１剤、（Ｃ）酸化剤を含有してなるパーマネントウェーブ用第２剤（特許文献２参照）や、過酸化水素及びポリビニルピロリドンを含有するパーマネントウェーブ第２剤、又は、過酸化水素を含有する剤（Ａ）とポリビニルピロリドンを含有する剤（Ｂ）を含むパーマネントウェーブ第２剤のプレセットを提供する（特許文献３参照）等が開示されている。
【特許文献１】特開平５−１７３２２号公報
【特許文献２】特開２００２−１４５７４４号公報
【特許文献３】特開２００５−３１４２９１号公報
【発明の開示】
【発明が解決しようとする課題】
【０００４】
然し乍ら、前述の夫々開示されている頭髪の処理剤及び処理方法は、頭髪への染色剤の定着性を良くしたものや、頭髪や手へのダメージを改善するものや、不快臭の改善をするものであるが、身近に豊富にあり安全で無償に近い水と、イオン交換樹脂膜とを用いるものではなく、夫々課題を有していた。
【課題を解決するための手段】
【０００５】
本発明は前記課題に鑑み、鋭意研鑽の結果、これらの課題を解決するもので、請求項１に記載の頭髪の処理方法は、水を活性炭で濾過して得た浄水と、浄水とイオン交換樹脂とを用いて得たｐＨ１０の第１液と、浄水とイオン交換樹脂とを用いて得たｐＨ４の第２液と、浄水とイオン交換樹脂とを用いてカチオンとアニオンとを除去して得た純水の第３液とを用いて頭髪を処理する方法であって、頭髪をシャンプー剤と第３液とを１：２〜３で混合させた溶液でシャンプーするステップと、シャンプーするステップの後の頭髪に第１液を塗布しながらロッドで巻き付けるステップと、ロッドで巻き付けるステップの後の頭髪に第１パーマ液と第１液とを１：１で混合させた溶液で第１パーマ液を塗布するステップと、第１パーマ液を塗布するステップの後の頭髪に第２液でリンスするステップと、リンスするステップの後の頭髪に第１回目の第２パーマ液を塗布するステップと、第１回目の第２パーマ液を塗布するステップの後の頭髪に第２回目の第２パーマ液を塗布するステップと、第２回目の第２パーマ液を塗布するステップの後に頭髪からロッドを外すステップと、ロッドを外すステップの後にシャンプー剤でシャンプーするステップと、シャンプーするステップの後の頭髪に５０〜１００ｃｃの前記第２液を塗布するステップと、該第２液を塗布するステップの後の頭髪に５０〜１００ｃｃの第３液を塗布するステップと、第３液を塗布するステップの後の頭髪にトリートメント剤と第３液とを１：５０で混合させた溶液を塗布しながらブローするステップと、を含むものである。
【０００６】
更に、請求項２に記載の頭髪の処理方法は、水を活性炭で濾過して得た浄水と、浄水とイオン交換樹脂とを用いて得たｐＨ１０の第１液と、浄水とイオン交換樹脂とを用いて得たｐＨ４の第２液と、浄水とイオン交換樹脂とを用いてカチオンとアニオンとを除去して得た純水の第３液とを用いて頭髪を処理する方法であって、頭髪をシャンプー剤と第３液とを１：２〜３で混合させた溶液でシャンプーするステップと、シャンプーするステップの後の頭髪に５０〜１００ｃｃの第１液を塗布するステップと、第１液を塗布するステップの後の頭髪に第１染色剤と第２染色剤と第１液を５：４：１の比率で混合させて染色剤を塗布するステップと、染色剤を塗布するステップの後の頭髪を加熱放置するステップと、加熱放置するステップの後にシャンプー剤でシャンプーするステップと、シャンプーするステップの後の頭髪に５０〜１００ｃｃの第２液を塗布するステップと、第２液を塗布するステップの後の頭髪に５０〜１００ｃｃの第３液を塗布するステップと、第３液を塗布するステップの後の頭髪にトリートメント剤と第３液とを１：５０で混合させた溶液を塗布しながらブローするステップと、を含むものである。
【発明の効果】
【０００７】
前述の如く構成した本発明の頭髪の処理方法は、身近に豊富にあり安全で無償に近い水と、イオン交換樹脂とを用いるもので、各種の薬剤の使用を大幅に削減すると共に、リンスやトリートメントの実施を無くし、更に、処理時間を短縮できるもので、画期的で実用性の高い有効な発明である。
【発明を実施するための最良の形態】
【０００８】
本発明は頭髪の処理方法に関するものであり、更に詳細には、水道水を活性炭で濾過した浄水をイオン交換樹脂を用いて得たＨＰの相違するイオン水を用いて、頭髪に施すパーマネントウェーブの処理方法と、頭髪を染色するカラーの処理方法とに関するものであり、請求項１に記載の頭髪の処理方法は、水を活性炭で濾過して得た浄水と、該浄水とイオン交換樹脂とを用いて得たｐＨ１０の第１液と、前記浄水とイオン交換樹脂とを用いて得たｐＨ４の第２液と、前記浄水とイオン交換樹脂とを用いてカチオンとアニオンとを除去して得た純水の第３液とを用いて頭髪を処理する方法であって、頭髪をシャンプー剤と前記第３液とを１：２〜３で混合させた溶液でシャンプーするステップと、該シャンプーするステップの後の頭髪に前記第１液を塗布しながらロッドで巻き付けるステップと、該ロッドで巻き付けるステップの後の頭髪に第１パーマ液と前記第１液とを１：１で混合させた溶液で第１パーマ液を塗布するステップと、該第１パーマ液を塗布するステップの後の頭髪に前記第２液でリンスするステップと、該リンスするステップの後の頭髪に第１回目の第２パーマ液を塗布するステップと、該第１回目の第２パーマ液を塗布するステップの後の頭髪に第２回目の第２パーマ液を塗布するステップと、該第２回目の第２パーマ液を塗布するステップの後に頭髪からロッドを外すステップと、該ロッドを外すステップの後にシャンプー剤でシャンプーするステップと、該シャンプーするステップの後の頭髪に５０〜１００ｃｃの前記第２液を塗布するステップと、該第２液を塗布するステップの後の頭髪に５０〜１００ｃｃの前記第３液を塗布するステップと、該第３液を塗布するステップの後の頭髪にトリートメント剤と前記第３液とを１：５０で混合させた溶液を塗布しながらブローするステップと、を含むことを特徴とするものである。
【０００９】
更に、頭髪を染色するカラーの処理方法に関するものであり、請求項２に記載の頭髪の処理方法は、水を活性炭で濾過して得た浄水と、該浄水とイオン交換樹脂とを用いて得たｐＨ１０の第１液と、前記浄水とイオン交換樹脂とを用いて得たｐＨ４の第２液と、前記浄水とイオン交換樹脂とを用いてカチオンとアニオンとを除去して得た純水の第３液とを用いて頭髪を処理する方法であって、頭髪をシャンプー剤と前記第３液とを１：２〜３で混合させた溶液でシャンプーするステップと、該シャンプーするステップの後の頭髪に５０〜１００ｃｃの前記第１液を塗布するステップと、該第１液を塗布するステップの後の頭髪に第１染色剤と第２染色剤と前記第１液を５：４：１の比率で混合させて染色剤を塗布するステップと、該染色剤を塗布するステップの後の頭髪を加熱放置するステップと、該加熱放置するステップの後にシャンプー剤でシャンプーするステップと、該シャンプーするステップの後の頭髪に５０〜１００ｃｃの前記第２液を塗布するステップと、該第２液を塗布するステップの後の頭髪に５０〜１００ｃｃの前記第３液を塗布するステップと、該第３液を塗布するステップの後の頭髪にトリートメント剤と前記第３液とを１：５０で混合させた溶液を塗布しながらブローするステップと、を含むことを特徴とするものである。
【実施例】
【００１０】
即ち、本発明の頭髪の処理方法の実施例は頭髪にパーマネントウェーブを施す方法であり、水と活性炭とイオン交換樹脂とを用いるもので、水は身近に豊富にある水道水で構わないもので、水を活性炭で濾過して浄水を得るものである。
【００１１】
そして、浄水をイオン交換樹脂と接触させることにより、ｐＨ１０の第１液を得るもので、少なくとも−Ｎ＝（ＣＨ３）２を含む交換基のアルカリ性のイオン水である。
【００１２】
更に、浄水をイオン交換樹脂と接触させることにより、ｐＨ４の第２液を得るもので、少なくとも−ＳＯ３ Ｍを含む交換基の酸性のイオン水である。
【００１３】
更には、浄水をイオン交換樹脂と接触させることにより、カチオンとアニオンとを除去して得た純水を得るもので、少なくとも−ＳＯ３ Ｈと−Ｎ＝（ＣＨ３）ＯＨの中性の純水イオン水である。
【００１４】
次に、シャンプーするステップは、従来から汎用されているシャンプー剤と浄水とイオン交換樹脂で得た純水の第３液とを１：２〜３で混合させたシャンプー剤の溶液を用いて頭髪をシャンプーするもので、従来はシャンプー剤のみでシャンプーしているもので、シャンプー剤の使用を半減させるものである。
【００１５】
次いで、ロッドで巻き付けるステップは、シャンプーするステップの後の頭髪にｐＨ１０のアルカリ性イオン水である第１液を塗布しながらと、ロッドで巻き付けるもので、従来は第１パーマ液によりロッドを巻き付けているものである。
【００１６】
更に、第１パーマ液を塗布するステップは、ロッドで巻き付けるステップの後の頭髪に第１パーマ液と第１液とを１：１で混合させた溶液を塗布させるものであり、従来は 第１パーマ液のみを塗布しているもので、第１パーマ液の使用を削減するものである。
【００１７】
更には、リンスするステップは、第１パーマ液を塗布するステップの後の頭髪に酸性の第２液でリンスするもので、従来はリンス剤を用いて中間リンスするもので、ここではリンス剤を用いないリンスである。
【００１８】
そして、第１回目の第２パーマ液を塗布するステップは、リンスするステップの後の頭髪に第２パーマ液を塗布するもので、従来も実施されているものである。
【００１９】
次に、第２回目の第２パーマ液を塗布するステップは、第１回目の第２パーマ液を塗布するステップの後の頭髪に経時後に第２回目の第２パーマ液を塗布するもので、従来も実施されているものである。
【００２０】
次いで、ロッドを外すステップは、第２回目の第２パーマ液を塗布するステップの後に経分後頭髪からロッドを取り外すもので、従来も実施されているものである。
【００２１】
更に、シャンプーするステップは、ロッドを外すステップの後にシャンプー剤でシャンプーを実施するもので、従来も実施されているものである。
【００２２】
更には、第２液を塗布するステップは、シャンプーするステップの後の頭髪に５０〜１００ｃｃの第２液を塗布し、その後の頭髪に、第３液を塗布するステップでは、５０〜１００ｃｃの第３液を塗布するもので、従来は、トリートメント剤を用いてトリートメントを実施して水で洗い流しているもので、ここでは、トリートメント剤は使用しないものである。
【００２３】
そして、ブローするステップは、第３液を塗布するステップの後の頭髪にトリートメント剤と第３液とを１：５０で混合させた溶液を塗布しながらとブローするもので、従来は、単にブローのみを実施していたもので、ここでは、トリートメント剤を使用するものであるが、従来のトリートメント剤の使用量の略１／５０の使用量である。
【００２４】
つまり、本発明の頭髪の処理方法を従来の頭髪の処理方法と対比しながら詳述したもので、シャンプー剤やパーマ液の使用を減少させ、トリートメント剤の使用は激減させ、リンス剤は不要とする画期的なもので、頭髪の処理に用いる夫々の液は水道水から得るもので、排水しても環境に優しいものである。
【００２５】
また、本発明の頭髪の処理方法の次実施例は頭髪に染色を施すカラーの処理方法であり、水と活性炭とイオン交換樹脂とを用いるもので、水は身近に豊富にある水道水で構わないもので、水道水を活性炭で濾過して浄水を得て、浄水とイオン交換樹脂とを用いて得たｐＨ１０の第１液と、ｐＨ４の第２液と、純水の第３液とを用いるもので、実施例と同じなので詳述は省略する。
【００２６】
次に、シャンプーするステップは、従来から汎用されているシャンプー剤と浄水とイオン交換樹脂とで得た中性の第３液とを１：２〜３で混合させたシャンプー剤の溶液を用いて頭髪をシャンプーするもので、従来はシャンプー剤のみでシャンプーしているもので、シャンプー剤の使用を半減させるものである。
【００２７】
次いで、第１液を塗布するステップは、シャンプーするステップの後の頭髪に５０〜１００ｃｃの第１液をスポイトを用いて塗布するものである。
【００２８】
更に、染色剤を塗布するステップは、第１液を塗布するステップの後の頭髪に第１染色剤と第２染色剤と第１液を５：４：１の比率で混合させてとふするもので、従来は第１染色剤と第２染色剤とを１：１の割合で混ぜて使用しており、第２染色剤の削減を図るものである。
【００２９】
更には、加熱放置するステップは、染色剤を塗布するステップの後の頭髪を加熱して経分放置するものであり、従来も同様にしているものである。
【００３０】
そして、シャンプーするステップは、加熱放置するステップの後にシャンプー剤でシャンプーを実施するもので、従来も実施されているものである。
【００３１】
次に、第２液を塗布するステップは、シャンプーするステップの後の頭髪に５０〜１００ｃｃの第２液を塗布し、その後の頭髪に、第３液を塗布するステップでは、５０〜１００ｃｃの第３液を塗布するもので、従来は、トリートメント剤を用いてトリートメントを実施して水で洗い流しているもので、ここでは、トリートメント剤は使用しないものである。
【００３２】
次いで、ブローするステップは、第３液を塗布するステップの後の頭髪にトリートメント剤と第３液とを１：５０で混合させた溶液を塗布しながらとブローするもので、従来は、単にブローのみを実施していたもので、ここでは、トリートメント剤を使用するものであるが、従来のトリートメント剤の使用量の略１／５０の使用量である。
【００３３】
つまり、本発明の次実施例の頭髪の処理方法を従来の頭髪の処理方法と対比しながら詳述したもので、シャンプー剤や染色剤の使用を減少させ、トリートメント剤の使用は激減させ、リンス剤は不要とする画期的なもので、各処理液は水道水から得るもので、排水しても環境に優しいものである。
【産業上の利用可能性】
【００３４】
本発明の頭髪の処理方法は、身近に豊富にあり安全で無償に近い水と、活性炭と、イオン交換樹脂とを用いるもので、各種の薬剤の使用を大幅に削減すると共に、リンスやトリートメントの実施を無くし、更に、処理時間を短縮できる頭髪に施すパーマネントウェーブの処理方法と、頭髪を染色するカラーの処理方法を提供するものである。